【手続補正書】
【提出日】令和2年12月2日(2020.12.2)
【手続補正１】
【補正対象書類名】特許請求の範囲
【補正対象項目名】全文
【補正方法】変更
【補正の内容】
【特許請求の範囲】
【請求項１】
陰圧創傷療法システム（２００）であって、
陰圧を患者の創傷に加えるように構成された陰圧療法装置（２２０）であって、
前記創傷上に配置されるように構成された創傷被覆材（１００）と、
前記創傷被覆材によって支持される陰圧源と、
一つ以上のプロセッサを備えるコントローラであって、
前記陰圧療法装置の一つ以上の動作データを判定し、
前記一つ以上の動作データを送信するよう構成される、コントローラと、
を備える陰圧療法装置と、
一つ以上のプロセッサを含むコントローラを備える無線通信デバイス（２１０）であって、前記無線通信デバイスの前記コントローラが、前記陰圧療法装置に通信可能に結合されるよう構成され、前記陰圧療法装置の前記コントローラによって送信される前記一つ以上の動作データを受信し、前記受信した一つ以上の動作データを出力するようにさらに構成される無線通信デバイスと、
を備え、
前記無線通信デバイスが、前記無線通信デバイスのメモリおよび前記コントローラを囲むハウジングを備え、前記ハウジングが前記介護者によって着用されるようサイズ決めされ、
当該陰圧創傷療法システムが、ディスプレイ（２３０）をさらに備え、
前記ディスプレイが、前記陰圧療法装置からの少なくとも１つのリアルタイムの動作データを当該ディスプレイに出力するように構成されている、陰圧創傷療法システム。
【請求項２】
前記陰圧療法装置の前記コントローラが、事象の発生、時間間隔の終了、または前記無線通信デバイスから受信する要求のうちの少なくとも一つに応答して、前記一つ以上の動作データを送信するよう構成される、請求項１に記載のシステム。
【請求項３】
前記一つ以上の動作データが、電力ステータスデータ、エラーデータ、陰圧データ、創傷データ、被覆材データ、接続データ、活動データ、または患者データのうちの一つ以上を含む、請求項１または２のいずれかに記載のシステム。
【請求項４】
前記ディスプレイが、ユーザが選択するための動作データオプションのリストを提供するように構成されている、請求項１から３のいずれかに記載のシステム。
【請求項５】
前記動作データオプションの選択に応答して、前記無線通信デバイスが、前記陰圧療法装置と通信し、それにより、ユーザが選択した前記動作データオプションに対応する出力を前記ディスプレイに生成することを特徴とする請求項４に記載のシステム。
【請求項６】
前記無線通信デバイスが、遠隔コンピュータまたはサーバと通信するようにさらに構成されている、請求項１から５のいずれかに記載のシステム。
【請求項７】
別の創傷の上に配置されるよう構成される別の創傷被覆材と、前記別の創傷被覆材によって支持される別の陰圧源とをさらに備え、前記無線通信デバイスの前記コントローラが、前記別の陰圧療法装置に通信可能に結合されるようにさらに構成される、請求項１〜６のいずれかに記載のシステム。
【請求項８】
前記無線通信デバイスの前記コントローラが、
前記別の陰圧療法装置の別のコントローラによって送信される、別の一つ以上の動作データを受信し、
前記受信した一つ以上の動作データと、前記受信した別の一つ以上の動作データとを出力するようさらに構成される、請求項７に記載のシステム。
【請求項９】
一つ以上のプロセッサを備えた別のコントローラを含む別の無線通信デバイスをさらに備え、前記別の無線通信デバイスの前記別のコントローラが、前記陰圧療法装置に通信可能に結合されるように構成される、請求項１〜８のいずれかに記載のシステム。
【手続補正２】
【補正対象書類名】明細書
【補正対象項目名】００９４
【補正方法】変更
【補正の内容】
【００９４】
本開示の範囲は、特定の実施形態の説明によって制限されることは意図されておらず、付記項によって定義されてもよい。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
陰圧創傷療法システムであって、
陰圧を患者の創傷に加えるように構成された陰圧療法装置であって、
前記創傷上に配置されるように構成された創傷被覆材と、
前記創傷被覆材によって支持される陰圧源と、
一つ以上のプロセッサを備えるコントローラであって、前記コントローラが、
前記陰圧療法装置の一つ以上の動作データを判定し、
前記一つ以上の動作データを送信するよう構成されるコントローラと、を備える陰圧療法装置と、
一つ以上のプロセッサを含むコントローラを備える無線通信デバイスであって、前記無線通信デバイスの前記コントローラが、前記陰圧療法装置に通信可能に結合されるよう構成され、前記陰圧療法装置の前記コントローラによって送信される前記一つ以上の動作データを受信し、前記受信した一つ以上の動作データを出力するようにさらに構成される無線通信デバイスと、を備える、陰圧創傷療法システム。
［付記項２］
前記陰圧療法装置の前記コントローラが、事象の発生、時間間隔の終了、または前記無線通信デバイスから受信する要求のうちの少なくとも一つに応答して、前記一つ以上の動作データを送信するよう構成される、付記項１に記載のシステム。
［付記項３］
前記一つ以上の動作データが、電力ステータスデータ、エラーデータ、陰圧データ、創傷データ、被覆材データ、接続データ、活動データ、または患者データのうちの一つ以上を含む、付記項１または２のいずれかに記載のシステム。
［付記項４］
前記創傷が、前記患者の目に見える範囲外または手の届く範囲外のエリアにある、付記項１〜３のいずれかに記載のシステム。
［付記項５］
前記エリアが、前記患者の背中、肩、脚、腰、足、または臀部のうち少なくとも一つを含む、付記項４に記載のシステム。
［付記項６］
前記エリアが、前記患者の後部の少なくとも一部分を含む、付記項４または５のいずれかに記載のシステム。
［付記項７］
別の創傷の上に配置されるよう構成される別の創傷被覆材と、前記別の創傷被覆材によって支持される別の陰圧源とをさらに備え、前記無線通信デバイスの前記コントローラが、前記別の陰圧療法装置に通信可能に結合されるようにさらに構成される、付記項１〜６のいずれかに記載のシステム。
［付記項８］
前記無線通信デバイスの前記コントローラが、
前記別の陰圧療法装置の別のコントローラによって送信される、別の一つ以上の動作データを受信し、
前記受信した一つ以上の動作データと、前記受信した別の一つ以上の動作データとを出力するようさらに構成される、付記項７に記載のシステム。
［付記項９］
一つ以上のプロセッサを備えた別のコントローラを含む別の無線通信デバイスをさらに備え、前記別の無線通信デバイスの前記別のコントローラが、前記陰圧療法装置に通信可能に結合されるように構成される、付記項１〜８のいずれかに記載のシステム。
［付記項１０］
前記無線通信デバイスが、前記一つ以上の動作データを出力するように構成されるディスプレイをさらに備える、付記項１〜９のいずれかに記載のシステム。
［付記項１１］
前記無線通信デバイスが、前記無線通信デバイスのメモリおよび前記コントローラを囲むハウジングを備え、前記ハウジングが前記患者または介護者によって着用されるようサイズ決めされる、付記項１〜１０のいずれかに記載のシステム。
［付記項１２］
陰圧療法装置と通信するための無線通信デバイスであって、
メモリと、
一つ以上のプロセッサを備えるコントローラであって、前記コントローラが、
患者の創傷の上に配置されるように構成される創傷被覆材と、前記創傷被覆材によって支持される陰圧源とを備える陰圧療法装置の一つ以上の動作データのための要求を生成し、前記陰圧装置が、前記創傷に陰圧療法を提供するように構成され、前記要求が、事象の発生、受信したユーザ入力、または時間間隔の終了のうちの少なくとも一つに基づいており、
前記陰圧療法装置に前記要求を送信し、
前記陰圧療法装置から前記一つ以上の動作データを受信し、
前記一つ以上の動作データを出力するよう構成されるコントローラと、を備える、無線通信デバイス。
［付記項１３］
前記一つ以上の動作データが、電力ステータスデータ、エラーデータ、陰圧データ、創傷データ、被覆材データ、接続データ、活動データ、または患者データのうち一つ以上を備える、付記項１２に記載のデバイス。
［付記項１４］
前記創傷が、前記患者の目に見える範囲外または手の届く範囲外のエリアにある、付記項１２または１３のいずれかに記載のデバイス。
［付記項１５］
前記エリアが、前記患者の背中、肩、脚、腰、足、または臀部のうち少なくとも一つを含む、付記項１４に記載のデバイス。
［付記項１６］
前記エリアが、前記患者の後部の少なくとも一部分を含む、付記項１４または１５のいずれかに記載のデバイス。
［付記項１７］
前記一つ以上の動作データを出力するよう構成されるディスプレイをさらに備える、付記項１２１２〜１６のいずれかに記載のデバイス。
［付記項１８］
前記メモリおよび前記コントローラを囲むハウジングをさらに備え、前記ハウジングが、前記患者または介護者によって着用されるようサイズ決めされる、付記項１２〜１７のいずれかに記載のデバイス。
［付記項１９］
前記ハウジングが手首に装着されるようサイズ決めされる、付記項１８に記載のデバイス。
［付記項２０］
前記コントローラが、
別の創傷の上に配置されるよう構成される別の創傷被覆材と、別の創傷被覆材によって支持された別の陰圧源とを備える別の陰圧療法装置の一つ以上の動作データに対する別の要求を生成し、
前記別の要求を送信し、
前記別の陰圧療法装置から前記一つ以上の動作データを受信し、
前記陰圧療法装置の前記一つ以上の動作データと、前記別の陰圧療法装置の前記一つ以上の動作データを出力するようさらに構成される、付記項１２〜１９のいずれかに記載のデバイス。
［付記項２１］
複数の陰圧療法装置と無線通信するための命令を含む非一過性コンピュータ記憶媒体であって、プロセッサによって実行されると、前記プロセッサに、
患者の創傷の上に配置されるよう構成され、前記創傷に陰圧療法をもたらすようさらに構成される陰圧療法装置の一つ以上の動作データに対する要求を生成させることであって、前記要求が、事象の発生、受信したユーザ入力、または時間間隔の終了のうちの少なくとも一つに基づく、生成させることと、
前記陰圧療法装置に前記要求を送信することと、
前記陰圧療法装置から前記一つ以上の動作データを受信することと、
前記一つ以上の動作データを出力すること、を含む方法を実施させる、非一過性コンピュータ記憶媒体。
［付記項２２］
前記一つ以上の動作データを出力することが、前記一つ以上の動作データを表示することを含む、付記項２１に記載の非一過性コンピュータ記憶媒体。
［付記項２３］
前記創傷が、前記患者の目に見える範囲外または手の届く範囲外のエリアにある、付記項２１または２２のいずれかに記載の非一過性コンピュータ記憶媒体。
［付記項２４］
前記エリアが、前記患者の背中、肩、脚、腰、足、または臀部のうち少なくとも一つを含む、付記項２３に記載の非一過性コンピュータ記憶媒体。
［付記項２５］
前記エリアが、前記患者の後部の少なくとも一部分を含む、付記項２３または２４のいずれかに記載の非一過性コンピュータ記憶媒体。
［付記項２６］
前記一つ以上の動作データが、電力ステータスデータ、エラーデータ、陰圧データ、創傷データ、被覆材データ、接続データ、活動データ、または患者データのうち一つ以上を備える、付記項２１〜２５のいずれかに記載の非一過性コンピュータ記憶媒体。
［付記項２７］
前記方法が、
前記患者の別の創傷の上に配置されるよう構成され、前記別の創傷に陰圧療法を提供するようにさらに構成される、別の陰圧療法装置の別の一つ以上の動作データに対する要求を生成することと、
前記別の陰圧療法装置に前記別の要求を送信することと、
前記別の陰圧療法装置から前記別の一つ以上の動作データを受信することと、
前記一つ以上の動作データと前記別の一つ以上の動作データを出力することと、を含む、付記項２１〜２６のいずれかに記載の非一過性コンピュータ記憶媒体。
［付記項２８］
前記別の一つ以上の動作データが、電力ステータスデータ、エラーデータ、陰圧データ、創傷データ、被覆材データ、接続データ、活動データ、または患者データのうち一つ以上を備える、付記項２７に記載の非一過性コンピュータ記憶媒体。
［付記項２９］
陰圧創傷療法システムと通信するための無線通信デバイスであって、
メモリと、
一つ以上のプロセッサを備えるコントローラであって、前記コントローラが、
患者の上に位置付けられるように構成され、複数の創傷に陰圧療法を提供するようにさらに構成される複数の陰圧装置と無線通信し、前記複数の陰圧装置がそれぞれ、前記患者の創傷の上に配置されるように構成される創傷被覆材と、前記創傷被覆材によって支持される陰圧源と、前記陰圧源を制御するように構成されるコントローラとを備え、
少なくとも第一および第二陰圧装置によって陰圧療法を提供することに関連付けられた第一および第二動作データをそれぞれ受信し、
前記受信した動作データに基づいて通知を生成することであって、前記通知が、前記第一および第二陰圧装置および前記それぞれの第一および第二動作データを識別する情報を含む、生成するように構成されるコントローラと、を備える、無線通信デバイス。
［付記項３０］
前記第一および第二動作データが、電力ステータスデータ、エラーデータ、陰圧データ、創傷データ、被覆材データ、接続データ、活動データ、または患者データのうち一つ以上を備える、付記項２９に記載のデバイス。
［付記項３１］
陰圧創傷療法システム内で通信する方法であって、
患者の手首に位置付けられた無線通信デバイスを使用して、患者の創傷の上に位置付けられた創傷被覆材と、前記創傷被覆材によって支持される陰圧源とを備える陰圧装置と無線通信することであって、前記陰圧療法デバイスが陰圧療法を前記創傷に提供し、前記無線通信が、事象の発生、受信したユーザ入力、または時間間隔の終了のうちの少なくとも一つに基づく、無線通信することと、
前記陰圧装置によって陰圧療法を提供することと関連付けられた一つ以上の動作データを出力することと、を含む、方法。
［付記項３２］
前記無線通信が、
前記無線通信デバイスで、前記陰圧療法装置からの前記一つ以上の動作データを受信することを含む、付記項３１に記載の方法。
［付記項３３］
前記無線通信が、
前記無線通信デバイスで、前記陰圧療法装置の前記一つ以上の動作データに対する要求を生成することであって、前記要求が、事象の発生、受信したユーザ入力、または時間間隔の終了のうちの少なくとも一つに基づく、生成することと、
前記要求を前記陰圧療法装置に送信することと、をさらに含む、付記項３１または３２のいずれかに記載の方法。
［付記項３４］
前記患者の別の創傷の上に位置付けられた別の創傷被覆材と、前記別の創傷被覆材によって支持された別の陰圧源とを備える別の陰圧療法装置の一つ以上の動作データに対する、別の要求を生成することであって、前記別の陰圧療法デバイスが前記別の創傷に陰圧療法を提供する、生成することと、
前記別の要求を送信することと、
前記別の陰圧療法装置の前記一つ以上の動作データを受信することと、
前記別の陰圧療法装置の前記一つ以上の動作データを出力することと、をさらに含む、付記項３１〜３３のいずれかに記載の方法。
［付記項３５］
前記創傷が、前記患者の目に見える範囲外または手の届く範囲外のエリアにある、付記項３１〜３４のいずれかに記載の方法。
［付記項３６］
前記エリアが、前記患者の背中、肩、脚、腰、足、または臀部のうち少なくとも一つを含む、付記項３５に記載の方法。
［付記項３７］
前記エリアが、前記患者の後部の少なくとも一部分を含む、付記項３５または３６のいずれかに記載の方法。